(57)【特許請求の範囲】
【請求項１】
一対のテストレンズ枠（１１ａ、１１ｂ）を左右に有するレンズホルダ（１１）と、そのレンズホルダ（１１）の左右に取付けられたテンプル（１２）とからなり、前記テストレンズ枠（１１ａ、１１ｂ）にいくつかの検査用テストレンズ（１３）を装着し、そのテストレンズ（１３）による視力矯正の具合を確認する検眼枠（Ｗ）において、
偏光レッドグリーン検査用、偏光バランス検査用、偏光十字検査用、コの字検査用、ワォース４灯検査用、回旋斜位検査用、偏光立体検査用、融像幅測定検査用、クロスリング検査用の何れか１つの対の偏光フィルター（２０、２０ａ、２０ｂ）を上記一対のテストレンズ枠（１１ａ、１１ｂ）の前面をそれぞれ被うように上記レンズホルダ（１１）に取付け、かつ、前記レンズホルダ（１１）に孔（１５）を形成し、その孔（１５）に偏光フィルター（２０）の支軸（２４）を挿し込み、その支軸（２４）周りの回転によって、前記偏光フィルター（２０）が前記テストレンズ枠（１１ａ、１１ｂ）の前面から退去自在になっていることを特徴とする検眼枠。
【請求項２】
上記対の偏光フィルター（２０）を別もの（２０ａ、２０ｂ）として、その対の偏光フィルター（２０ａ、２０ｂ）を上記一対のテストレンズ枠（１１ａ、１１ｂ）の前面からそれぞれ退去自在としたことを特徴とする請求項１に記載の検眼枠。
【請求項３】
上記支軸（２４）が上記孔（１５）に挿し込み・引き抜き可能となって、上記対の偏光フィルター（２０）が他の検査用の偏光フィルターと取換え自在となっていることを特徴とする請求項１又は２に記載の検眼枠。
【請求項４】
上記偏光フィルター（２０）は、上記テストレンズ枠（１１ａ、１１ｂ）の前面を被うフィルター本体（２１）と、そのフィルター本体（２１）をその側縁で支持する側枠（２２）と、その側枠（２２）から横方向に延びる横杆（２３）と、その横杆（２３）に設けた上記支軸（２４）とからなることを特徴とする請求項１乃至３の何れかに記載の検眼枠。
【請求項５】
上記フィルター本体（２１）は、上記側枠（２２）にねじ止めされて取換え自在となっていることを特徴とする請求項４に記載の検眼枠。
【請求項６】
上記横杆（２３）に、上記偏光フィルター（２０）の退去方向の前後に突出する対の突杆（２６、２７）を設けて、前記偏光フィルター（２０、２０ａ、２０ｂ）がテストレンズ枠（１１ａ、１１ｂ）の前面を被って所定位置に位置した際、その両突杆（２６、２７）がテストレンズ枠（１１ａ，１１ｂ）の側面に当接して、偏光フィルター（２０）がテストレンズ枠（１１ａ、１１ｂ）に位置決めされるようにしたことを特徴とする請求項４又５に記載の検眼枠。
【請求項７】
上記両突杆（２６、２７）の退去方向前側となる突杆（２７）は、レンズホルダ（１１）の角部（１１’）を乗り越えてその弾力でもってその先端をテストレンズ枠（１１ａ、１１ｂ）の側面に当接することを特徴とする請求項６に記載の検眼枠。
【発明の詳細な説明】
【技術分野】
【０００１】
この発明は、検眼枠を装着してレンズ度数を測定する際、偏光フルターを使用して斜位等を測定し得る検眼枠に関する。
【背景技術】
【０００２】
眼鏡を作る際、その最適なレンズ度数を測る必要があり、通常、図７に示すように、検眼枠Ｗを装着して行ったり、視力検査装置で行ったりする（特許文献１参照）。
後者の視力検査装置は、科学的で、正確に測定できるが、一律的であり、各個人毎に適切で満足できる眼鏡を作ることは困難である。
このため、その視力検査装置が普及した今日でも、前者の検眼枠Ｗを使用した検査が主流をなしている。
【特許文献１】特開平５−１５４９１号公報
【０００３】
その検眼枠Ｗは、図７に示すように、一対のテストレンズ枠１１ａ、１１ｂを左右に有するレンズホルダ１１と、そのレンズホルダ１１の左右に取付けられたテンプル１２、１２とからなり、テストレンズ枠１１ａ、１１ｂにいくつかの検査用テストレンズ１３を装着し、そのテストレンズ１３による視力矯正の具合を確認して、最適なレンズ度数を測定（検査）する。
【０００４】
ところで、人の眼は、遠視、近視に限らず、その遠視や近視を矯正する度数のレンズを眼鏡に装着すれば、その人が疲れることなく、生活できるわけではない。
すなわち、例えば、人には、「斜位」と言われる癖を持っている者がおり、この人は、その斜位も矯正することで眼が疲れることのない生活を送ることができる。今日の眼を酷使する環境下においては、眼の疲労は激しくなっており、その解消は急務である。
【０００５】
その斜位とは、図８に示すように、ある一点ａを見つめようとしたときに、両眼Ｅ１，Ｅ２でその一点（融像点）ａを見つめることはできるが、片眼（右目Ｅ１又は左目Ｅ２）を遮蔽する等で見えない状態にすると、その眼Ｅが、同図矢印のごとく「開きたがる」「寄せたがる」「上げたがる」「下げたがる」と言った傾向を示す状態を言う。この斜位には、図９に示す「外斜位」（同図（ａ））、「内斜位」（同図（ｂ））、左眼上斜位（同図（ｃ））、左眼下斜位（同図（ｄ））、左眼外斜位＋左眼上斜位（同図（ｅ））、右眼下斜位（同図（ｆ））等がある。
【０００６】
この斜位の眼Ｅの人は、図１０のように、一点ａを見るときには、その斜位を眼Ｅの視線を動かして（例えば、右眼Ｅ１の視線（鎖線）を実線のように動かして）その点（融像点）ａに合わせることができるが、上記のように、遮蔽されると、その視線をずらしてしまう。すなわち、一点ａを見るときには、無意識的に視線を合わせているが、その視線を合わす動作をしていることにより、長時間、一点を見つめる作業、例えば、本を読む等においては、眼が疲れることとなる。
この斜位は、例えば、足を真っ直ぐにすることはできるが、ガニ股の方が楽という人と、内股の方が楽という人がいるように、眼の癖の１つである。このため、大きなガニ股の人が、足を真っ直ぐにし続けると疲れてしまうように、眼の癖である「斜位」も大きい人ほど目が疲れ易いこととなる。
これを、図１０に示すように、プリズム（レンズ）Ｌによって、斜位の状態でも、両眼Ｅ１、Ｅ２でもって一点ａを見つめることができるようにすれば（プリズムＬによって視線を鎖線から実線に矯正すれば）、疲れはなくなる。
【０００７】
その斜位の測定方法として、「偏向十字テスト」があり、「偏向十字視表」という偏向フィルターを通して、例えば、右眼に縦線、左眼に横線のみが見える視表を使用する。
これによれば、縦線と横線という異なる視表のため、左右眼Ｅ１、Ｅ２の像を融像（左右の眼Ｅ１、Ｅ２で見た同一の点ａを１つの点として視覚すること）することができない。
このため、正位の場合（両眼Ｅ１、Ｅ２ともに斜位がない場合）は、図１１ａに示すように、十字に見えるが、斜位の場合、図１１ｂ、同ｃ、同ｄに示すように見える。図１１ｂは水平方向にズレている場合（水平方向に斜位の場合）であり、同（ａ）は左眼Ｅ２の視線が左にずれており、同（ｂ）は左眼Ｅ２の視線が右にずれており、図１０に示すように、プリズム（レンズ）Ｌによってその左眼Ｅ２の斜位を矯正すれば、同（ｃ）に示すように、左眼Ｅ２の視線を自己で矯正することなく（斜位のままで）十字に見ることができる。図１１ｃは垂直方向にズレている場合（垂直方向に斜位の場合）、図１１ｄは斜め方向にズレている場合（斜め方向に斜位の場合）であり、同様にして、プリズム（レンズ）Ｌによってその左眼Ｅ２又は両眼Ｅ１、Ｅ２の斜位を矯正すれば、各（ｃ）に示すように、左眼Ｅ２又は両眼Ｅ１、Ｅ２の視線を自己で矯正することなく（斜位のままで）十字に見ることができる。
【０００８】
この斜位検査を電子式に行う技術が開発されているが（特許文献２参照）、この検査方法は、上述の視力検査と同様に、科学的で、正確に測定できるが、一律的であり、各個人毎に適切で満足できる測定をすることは困難である。また、検査装置も高価なものとなっている。
このため、その視力検査装置が普及した今日でも、前者の検眼枠Ｗを使用した検査が並行して行われている。
【特許文献２】再公表２００３−０４１５７２号公報
【０００９】
その従来の検眼枠Ｗによる斜位検査は、図１２に示すように、左右に異なる方向の偏光フィルターＦ１、Ｆ２を有する治具１５を使用し、その治具１５を検眼枠Ｗの前に位置させ（セットし）、その両偏光フィルターＦ１、Ｆ２を通して、上記偏向十字テストを行っている。
【発明の開示】
【発明が解決しようとする課題】
【００１０】
上記の治具１５による従来の斜位検査は、その治具１５を被験者が持って行っており、検査時に検眼枠Ｗ（顔）との距離等が一定でなく、正確性に欠ける。
この発明は、その様な実情に鑑み、上記斜位等の偏光フィルターによる検査を円滑かつ正確に行い得るようにすることを課題とする。
【課題を解決するための手段】
【００１１】
この発明は、上記の課題を解決するために、従来、眼鏡を掛けた人がサングラスとする際、そのサングラスを眼鏡に補助的に付けて行うことに着目し（特許文献３参照）、偏光フィルターも、その補助サングラスと同様に、検眼枠に取付け、不使用時には、退去し得るようにしたのである。
このように、検眼枠に取付けられておれば、その偏光フィルターを使用した検査時、その偏光フィルターと検眼枠Ｗ（顔）との距離等は一定であるため、正確な検査を行うことができる。
【特許文献３】特開２００２−２４４０８６号公報
【００１２】
この発明の構成としては、一対のテストレンズ枠を左右に有するレンズホルダと、そのレンズホルダの左右に取付けられたテンプルとからなり、前記テストレンズ枠にいくつかの検査用テストレンズを装着し、そのテストレンズによる視力矯正の具合を確認する検眼枠において、前記偏光フィルターを前記一対のテストレンズ枠の前面をそれぞれ被うように前記レンズホルダに取付け、かつ、その偏光フィルターを前記テストレンズ枠前面から退去自在とした構成を採用できる。
【００１３】
その偏光フィルターとしては、上記の偏光十字検査用に限らず、例えば、偏光レッドグリーン検査用、偏光バランス検査用、偏光十字検査用、コの字検査用、ワォース４灯検査用、時計（回旋斜位）検査用、偏光立体検査用、融像幅測定検査用、クロスリング検査用等の何れか１つを採用することができる。
【００１４】
その「偏光レッドグリーン検査」は、偏光フィルターを掛けると、右目では上と中段の視標、左目では下と中段の視標が見える視標を用い、各眼個別の矯正度数の強弱を判定するのに用いる。
「偏光バランス検査」は、偏光フィルターを掛けると、右目では上のランドルト環のみ、左目では下のランドルト環のみが見え、間の線は両眼で見える視標を用い、主に両眼開放屈折検査用で、調節バランスを取るために用い、クロスシリンダーによる乱視の検査用にも使用する。
「コの字検査」は、偏光フィルターを掛けると、右目で右のコの字、左目で左の逆コの字が見え、中央の円は両眼で見える視標を用い、不等像検査用（左右の網膜上の像の大きさに差があるもの）、あるいは斜位の検査用に用いる。
「ワォース４灯検査」は、周辺融像の検査用であり、右目に赤、左目に緑のフィルターを掛けて用い、抑制（単眼視）、複視（物が二重に見える）の有無を検査できる。
【００１５】
上記発明の構成において、上記対の偏光フィルターを別ものとして、その対の偏光フィルターを上記一対のテストレンズ枠の前面からそれぞれ退去自在とすることができる。
対の偏光フィルターが一体物であれば、テストレンズ枠の前面から退去する際、その一体となった対の偏光フィルターを退去させることとなって、嵩張り、体裁も悪い上に、退去した側にその偏光フィルターの荷重が偏って、検眼枠に違和感が生じる。しかし、対の偏光フィルターを別ものとすれば、その対の偏光フィルターが別々に退去し、その退去方向も左右等と検眼枠にとって対称位置とすることができるため、嵩張らず、荷重の偏位もなく、違和感も生じ難い。
【００１６】
また、その対の偏光フィルターを他の検査用の偏光フィルターと取換え自在とすれば、１つの検眼枠を装着した状態で、各種の偏光フィルターを使用した検査を行うことができて、煩わしさがない。
【００１７】
偏光フィルターのレンズホルダへの取付け手段としては、ビス止め、洗濯バサミ様の挟持等の態様が考え得るが、例えば、前記レンズホルダに孔を形成し、その孔に偏光フィルターの支軸を挿し込み、その支軸周りの回転によって、前記偏光フィルターがテストレンズ枠の前面から退去するようにすることができる。
このとき、上記支軸を上記孔に挿し込み・引き抜き可能とすれば、偏光フィルターを他の検査用の偏光フィルターと取換え自在とすることができる。
【００１８】
上記偏光フィルターの構成としては、種々の態様が考えられるが、例えば、上記テストレンズ枠の前面を被うフィルター本体と、そのフィルター本体をその側縁で支持する側枠と、その側枠から横方向に延びる横杆と、その横杆に設けた上記支軸とからなる構成とすることができる。
【００１９】
このとき、上記フィルター本体は、上記側枠にねじ止めされて取換え自在となっているものとすれば、ねじ止めを解除して偏光フィルターの交換をすることができる。すなわち、偏光フィルターが破損する等によって交換する場合に有効なものとなる。
【００２０】
また、上記横杆に、上記偏光フィルターの退去方向の前後に突出する対の突杆を設けて、偏光フィルターがテストレンズ枠の前面を被って所定の位置（斜位等の検眼位置）に位置した際、その両突杆がテストレンズ枠の側面に当接して、偏光フィルターがテストレンズ枠に位置決めされるようにすれば、偏光フィルターを容易に所定位置にセットできる。このとき、その突杆の退去方向前側となる突杆は、レンズホルダの角部を乗り越えてその弾力でもってその先端がテストレンズ枠の側面に当接するようにすれば、その位置決め状態を不動のものとすることができる。
【発明の効果】
【００２１】
この発明は、以上のように、偏光フィルターを検眼枠に取付け、不使用時には、退去し得るようにしたので、検眼枠を使用したレンズ交換による度数の検査に何ら支障を来すこともなく、また、偏光フィルターを使用した検査時には、その偏光フィルターと検眼枠（顔）との距離等は一定であるため、正確な検査を行うことができる。
【発明を実施するための最良の形態】
【００２２】
図１〜図５に一実施形態を示し、この実施形態は、図７に示した従来の検眼枠Ｗに偏光フィルター２０ａ，２０ｂ（総称符号「２０」）を取付けたものであり、上記と同一符号は同一物を示す。
【００２３】
その偏光フィルター２０は、「偏向十字テスト」用のものであり、右眼用偏向フィルター２０ａを通しては縦線、左眼用偏光フィルター２０ｂを通しては横線のみが見える。偏光フィルター２０は、フィルター本体２１、そのフィルター本体２１をその側縁で支持する側枠２２と、その側枠２２から横方向に延びる弧状の横杆２３と、その横杆２３の端に設けた上下方向の支軸２４とからなる。これらの側枠２２、横杆２３、支軸２４は樹脂による一体成型品である。
側枠２２はフィルター本体２１の側縁に沿うように湾曲しており、その側枠２２の湾曲状側面にフィルター本体２１の側縁を当てがい、ビス２５により止めることによって、側枠２２にフィルター本体２１を取り付けている。このビス止めであることにより、ビス２５を外してフィルター本体２１を取換えることができる。この取換えできることは、フィルター本体２１が破損した場合や他の検査用フィルター本体２１に交換する場合等に有効である。
【００２４】
支軸２４は円柱からなって、レンズホルダ１１にテンプル１２、１２を回転可能とする円筒軸１５内に挿し込まれて、この円筒軸１５内において支軸２４が自転することによって、フィルター本体２１、すなわち、偏光フィルター２０が一対のテストレンズ枠１１ａ、１１ｂの前面をそれぞれ被う状態（図２参照）から、その前面から退去した状態（図１参照）に回転できる。
【００２５】
この実施形態の検眼枠Ｗは以上の構成であり、図１に示すように、テストレンズ１３による視力矯正検査の場合、偏光フィルター２０を退去させて行い、図２に示すように、偏向十字テストの場合は、偏光フィルター２０を両テストレンズ枠１１ａ、１１ｂの前面をそれぞれ被う状態にして行う。
【００２６】
このとき、図３ａ〜図３ｃに示すように、横杆２３から内方に突出する一方の突杆２６及び横杆２３に沿う他方の突杆２７がテストレンズ枠１１ａ，１１ｂ（レンズホルダ１１）の側面に当接するが、他方の突杆２７は、そのテストレンズ枠１１ａ，１１ｂの側面に当接する際、レンズホルダ１１の角部１１’を乗り越えてその弾力でもってその先端をテストレンズ枠１１ａ、１１ｂの側面に当接して、一方の突杆２６の先端を圧接状態でテストレンズ枠１１ａ、１１ｂの側面に当接させる。このため、偏光フィルター２０は、テストレンズ枠１１ａ、１１ｂに位置決めされて不動となる。
【００２７】
偏光フィルター２０のレンズホルダ１１への取付構造は、図６（ａ）に示すようにボルトナット３１によったり、同図（ｂ）に示すように、横杆２３の途中からＬ字状の挟持杆２８を設け、その両杆２３、２８先端の突起２９をレンズホルダ１１の円筒軸１５にその杆２３、２８の弾力でもって嵌める等の洗濯バサミ様の挟持態様としたりすることができる。このとき、その各種の取付構造を除いた上記突杆２６、２７を含めた横杆２３、側枠２２及びフィルター本体２１の形状は同じとすることができるが、適宜に変更することもできる。
【００２８】
上記の実施形態は、「偏向十字テスト」用であったが、偏光フィルター２０を使用する各種の検査、例えば、上記偏光レッドグリーン検査、偏光バランス検査、コの字検査、ワォース４灯検査、時計（回旋斜位）検査、偏光立体検査、融像幅測定検査、クロスリング検査等に、その検査に対応する偏光フィルター２０を採用することによって、上記実施形態は、それらの検査を行うことができることは勿論である。
また、偏光フィルター２０は左右対２０ａ、２０ｂの別物としたが、左右一体ものとしても良いことは勿論である。このとき、市販の眼鏡に装着するサングラスのように、その偏光フィルター２０はレンズホルダ１１にその上部に退去自在とすると良い。
【図面の簡単な説明】
【００２９】
【図１】一実施形態の作用説明用斜視図
【図２】同実施形態の他の作用説明用斜視図
【図３ａ】同実施形態の要部正面図
【図３ｂ】同実施形態の要部平面図
【図３ｃ】同実施形態の要部側面図
【図４】同実施形態の偏光フィルターの斜視図
【図５】同偏光フィルターを示し、（ａ）は正面図、（ｂ）は平面図、（ｃ）は左側面図、（ｄ）は右側面図、（ｅ）は下面図、（ｆ）は背面図である。
【図６】他の各実施形態の要部側面図
【図７】検眼枠による視力矯正検査説明用斜視図
【図８】眼の斜位説明図
【図９】同斜位の各態様説明図
【図１０】斜位矯正説明図
【図１１ａ】偏向十字テストにおける正常時の視覚図
【図１１ｂ】同斜位の一態様説明図及び矯正説明図
【図１１ｃ】同斜位の他の態様説明図及び矯正説明図
【図１１ｄ】同斜位の他の態様説明図及び矯正説明図
【図１２】従来の斜位検査説明図
【符号の説明】
【００３０】
１１  ホルダ
１１ａ、１１ｂ  テストレンズ枠
１２  テンプル
１３  テストレンズ
２０、２０ａ、２０ｂ  偏光フィルター
２１  フィルター本体
２２  側枠
２３  横杆
２４  支軸
２５  ビス
２６、２７  突杆
Ｅ、Ｅ１、Ｅ２  眼
ａ  融像点
【図１】
0004676476.tif 000002
【図２】
0004676476.tif 000003
【図３ａ】
0004676476.tif 000004
【図３ｂ】
0004676476.tif 000005
【図３ｃ】
0004676476.tif 000006
【図４】
0004676476.tif 000007
【図５】
0004676476.tif 000008
【図６】
0004676476.tif 000009
【図７】
0004676476.tif 000010
【図８】
0004676476.tif 000011
【図９】
0004676476.tif 000012
【図１０】
0004676476.tif 000013
【図１１ａ】
0004676476.tif 000014
【図１１ｂ】
0004676476.tif 000015
【図１１ｃ】
0004676476.tif 000016
【図１１ｄ】
0004676476.tif 000017
【図１２】
0004676476.tif 000018